【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
入力される交流電源の力率を補正するためのＰＦＣ回路を有する電源ユニットと、
画像処理を実行するための少なくとも１つのモジュールを搭載する半導体集積回路と、
前記半導体集積回路内の前記モジュールの電源がオンのときに前記ＰＦＣ回路がオンになるように、前記ＰＦＣ回路のオンとオフを制御する第１の電源制御ユニットと、
を備えることを特徴とする画像形成装置。
【請求項２】
前記第１の電源制御ユニットは、前記ＰＦＣ回路をオフにする前に前記モジュールの電源を遮断し、当該電源の遮断を、前記ＰＦＣ回路をオンにした後に解除するように電源制御信号を制御することを特徴とする請求項１に記載の画像形成装置。
【請求項３】
前記画像形成装置は、第１の電源状態又は前記第１の電源状態よりも消費電力が小さい第２の電源状態にて少なくとも動作可能であり、
前記第１の電源制御ユニットは、前記画像形成装置を前記第２の電源状態から前記第１の電源状態へと遷移させるイベントの検出に基づいて、前記モジュールの電源をオンにする前に前記ＰＦＣ回路をオンにする前記制御を行う、
ことを特徴とする請求項２に記載の画像形成装置。
【請求項４】
前記第１の電源制御ユニットは、前記画像形成装置を前記第１の電源状態から前記第２の電源状態へと遷移させる別のイベントの検出に基づいて、前記モジュールの電源をオフにした後に前記ＰＦＣ回路をオフにする前記制御を行う、
ことを特徴とする請求項３に記載の画像形成装置。
【請求項５】
前記半導体集積回路は、前記モジュールの電源状態を管理する電源管理ユニットを有し、
前記電源管理ユニットは、前記第１の電源制御ユニットに接続される電源情報信号によって、前記モジュールの電源状態を前記第１の電源制御ユニットに通知し、
前記第１の電源制御ユニットは、前記電源制御信号によって通知された前記モジュールの電源状態がオンを示す場合、前記ＰＦＣ回路をオフにしないように制御する、
ことを特徴とする請求項４に記載の画像形成装置。
【請求項６】
前記半導体集積回路は、さらに、
前記半導体集積回路を制御する第１の制御ユニットと、
前記第１の電源制御ユニットからの前記電源制御信号及び前記第１の制御ユニットの命令に基づいて、前記モジュールの電源を制御する第２の電源制御ユニットと、
を有し、
前記第２の電源制御ユニットは、少なくとも前記ＰＦＣ回路がオフの場合に、前記第１の制御ユニットの前記命令より前記第１の電源制御ユニットからの前記電源制御信号を優先して、前記モジュールの電源を制御する、
ことを特徴とする請求項５に記載の画像形成装置。
【請求項７】
前記半導体集積回路は、複数の前記モジュールを搭載し、
前記第２の電源制御ユニットは、前記複数のモジュールそれぞれに対する前記電源を制御する、
ことを特徴とする請求項６に記載の画像形成装置。
【請求項８】
前記半導体集積回路は、さらに、前記複数のモジュールのうち、その電源が制御の対象となるモジュールを保持する制御対象保持ユニットを有し、
前記第２の電源制御ユニットは、前記制御対象保持ユニットによって保持されるモジュールの電源を制御する、
ことを特徴とする請求項７に記載の画像形成装置。
【請求項９】
前記制御対象保持ユニットによって保持されるモジュールは、前記制御対象保持ユニットによって保持されたモジュールの電源がオフにされたときに前記電源ユニットから供給される電力が、前記ＰＦＣ回路をオフにしたときに供給可能な電力の上限内に抑制されるように設定される、ことを特徴とする請求項８に記載の画像形成装置。
【請求項１０】
前記画像形成装置を制御する制御ユニットをさらに備え、
前記制御ユニットは、前記ＰＦＣ回路をオフにする前に、前記画像形成装置に搭載される周辺装置の電源をオフにするように制御する、
ことを特徴とする請求項９に記載の画像形成装置。
【請求項１１】
前記周辺装置は、プリンタ装置、スキャナ装置、ストレージ装置、及び操作装置のうちの少なくとも１つであることを特徴とする、
請求項１０に記載の画像形成装置。
【請求項１２】
前記制御ユニットは、前記ＰＦＣ回路をオフにする前に、前記制御ユニットを動作させるクロック周波数を前記ＰＦＣ回路がオンの状態におけるクロック周波数より低くすることを特徴とする請求項１１に記載の画像形成装置。
【請求項１３】
前記ＰＦＣ回路は、力率を改善するための、オン又はオフに制御されるトランジスタを有し、
前記ＰＦＣ回路がオンの状態は、前記トランジスタがオン又はオフに制御される状態であり、
前記ＰＦＣ回路がオフの状態は、前記制御が実行されず、前記トランジスタが常にオフの状態である、
ことを特徴とする請求項１乃至１２のいずれか１項に記載の画像形成装置。
【請求項１４】
データ処理を実行する情報処理装置であって、
入力された交流電源を直流電源に変換する電源ユニットであって、前記交流電源の力率を補正するためのＰＦＣ回路を有する、電源ユニットと、
所定のデータ処理を実行するための少なくとも１つのモジュールを含む半導体集積回路と、
前記ＰＦＣ回路を有効にするか無効にするかを制御し、前記半導体集積回路における前記モジュールの電源がオンの間、前記ＰＦＣ回路の電源が有効となるように制御する、電源制御ユニットと、
を備えたことを特徴とする情報処理装置。
【請求項１５】
前記ＰＦＣ回路が有効である間、前記交流電源の力率を補正する制御が行われ、
前記ＰＦＣ回路が無効である間、前記交流電源の力率を補正する制御が行われない、
ことを特徴とする請求項１４に記載の情報処理装置。
【請求項１６】
前記ＰＦＣ回路は、前記交流電源の力率を補正するためにオン又はオフに制御されるトランジスタを有し、
前記ＰＦＣ回路によって行われる前記制御は、前記トランジスタをオン又はオフにする、
ことを特徴とする請求項１４又は１５に記載の情報処理装置。
【請求項１７】
前記電源制御ユニットは、
前記ＰＦＣ回路を有効又は無効にするかを制御し、
前記ＰＦＣ回路を無効にする前に前記モジュールの電源を遮断し、前記ＰＦＣ回路を有効にした後に前記モジュールの電源の遮断を解除するように制御する、
ことを特徴とする請求項１４に記載の情報処理装置。
【請求項１８】
前記情報処理装置は、第１の電源状態又は前記第１の電源状態より消費電力が小さい第２の電源状態にて少なくとも動作可能であり、
前記電源制御ユニットは、前記情報処理装置を前記第２の電源状態から前記第１の電源状態へと遷移させるイベントの検出に基づいて、前記モジュールの電源をオンにする前に前記ＰＦＣ回路を有効にするように制御する、
ことを特徴とする請求項１４に記載の情報処理装置。
【請求項１９】
前記電源制御ユニットは、前記情報処理装置を前記第１の電源状態から前記第２の電源状態へと遷移させる別のイベントの検出に基づいて、前記モジュールの電源をオフにした後に前記ＰＦＣ回路を無効にするように制御する、
ことを特徴とする請求項１８に記載の情報処理装置。
【請求項２０】
入力される交流電源の力率を補正するためのＰＦＣ回路を有する電源ユニットと、前記ＰＦＣ回路を制御する第１の電源制御ユニットと、画像処理を実行するための少なくとも１つのモジュールを含む半導体集積回路とを備え、前記第１の電源制御ユニットと前記半導体集積回路とが接続される画像形成装置によって実行される制御方法であって、
前記画像形成装置を通常モードから省電力モードへと遷移させる場合において、前記第１の電源制御ユニットが、
前記半導体集積回路への電源制御信号を制御して前記モジュールの電源をオフにした後、前記ＰＦＣ回路をオフにするように制御する、
ことを特徴とする制御方法。
【請求項２１】
さらに、前記画像形成装置を前記省電力モードから前記通常モードへと遷移させる場合において、前記第１の電源制御ユニットが、前記ＰＦＣ回路をオンにするように制御した後、前記モジュールの電源の遮断を解除するように制御する、
ことを特徴とする請求項２０に記載の制御方法。
【手続補正２】
【補正対象書類名】明細書
【補正対象項目名】００１０
【補正方法】変更
【補正の内容】
【００１０】
上記を達成するために、本発明の画像形成装置は、入力される交流電源の力率を補正するためのＰＦＣ回路を有する電源ユニットと、画像処理を実行するための少なくとも１つのモジュールを搭載する半導体集積回路と、前記半導体集積回路内の前記モジュールの電源がオンのときに前記ＰＦＣ回路がオンになるように、前記ＰＦＣ回路のオンとオフを制御する第１の電源制御ユニットと、を備えることを特徴とする。